(57)【要約】      （修正有）【課題】簡単な操作でクリップの挟持状態を維持することができるとともに、挟持状態の解除が不意になされることのないクリップを提供すること。【解決手段】固定挟持片２と該固定挟持片２に回動可能に設けられた可動挟持片３とからなり、固定挟持片２の先端と可動挟持片３の先端とが付勢部材２４で圧接されるクリップにおいて、固定挟持片２には圧接時に可動挟持片３の可動を阻止する阻止部材４を配設し、該阻止部材４は固定挟持片２にスライド可能に支持されるとともに、スライド時には可動挟持片３に係脱するようにした。【選択図】図１
0003105650.tif 000002
【実用新案登録請求の範囲】
【請求項１】
固定挟持片と該固定挟持片に回動可能に設けられた可動挟持片とからなり、上記固定挟持片の先端と可動挟持片の先端とが付勢部材で圧接されるクリップにおいて、
上記固定挟持片には圧接時に上記可動挟持片の可動を阻止する阻止部材を配設し、該阻止部材は上記固定挟持片にスライド可能に支持されるとともに、スライド時には上記可動挟持片に係脱することを特徴とするクリップ。
【請求項２】
前記阻止部材は、前記可動挟持片の回動方向と直交する方向にスライド可能に配置され、前記可動挟持片の回動を阻止する阻止部と、可動挟持片の回動を許容する非阻止部とを設け、該非阻止部を可動挟持片に対応させたときには可動挟持片は回動できるようにした、請求項１記載のクリップ。
【考案の詳細な説明】
【技術分野】
【０００１】
本考案は、クリップ、詳しくはクリップによる非挟持部材の挟持が使用者の意図に反して容易に解除されないクリップに関するものである。
【背景技術】
【０００２】
一般に、物品を吊り下げる吊り下げ紐にクリップを取り付け、このクリップを洋服やバッグなどにクリップ止めして携帯電話などの物品を紛失しないようにするためのクリップが広く用いられている。このクリップは、一対の挟持部材をバネによって閉じる方向に付勢し、開くときは一対の挟持部材の後端部を押圧することでバネに抗して先端側を押し広げるもので、押圧を解除するとバネに付勢されて一対の挟持部材の前端部が圧接してクリップ止めできるようにしたものである。
【０００３】
しかしながら、一対の挟持部材をバネの力だけで付勢したのでは、外力が被挟持品に掛かったり、挟持部材に掛かったりすると挟持部材同士の挟持が外れて簡単に被挟持品が外れてしまう問題があり、一対の挟持部材の挟持が解除しないように、ロック機構を備えたクリップが提案されている（例えば、特許文献１）。
【０００４】
このクリップは、先端側を開閉するように相互に回動自在に連結された一対の挟持部材と、この一対の挟持部材を開く方向に付勢する付勢手段と、一方の挟持部材の後部に設けられた被作用片と、他方の挟持部材の後部に回動自在に設けられかつ回動することにより前記被作用片に当接して付勢手段に抗して一対の挟持部材を閉じる作用部材と、一対の挟持部材を閉じているとき作用部材の回動を複数段階で規制するストッパ手段とを備えるもので、一対の挟持部材を閉じた状態で、作用部材がストッパ手段によって複数段階に回動を規制されるため、作用部材に外力が働いて１のストッパが解除されたとしても、他のストッパが作用することによって一対の挟持部材が誤って開くことがないようにしたものである。
【特許文献１】特開２００３−７４５２２号公報
【考案の開示】
【考案が解決しようとする課題】
【０００５】
本考案が解決しようとする問題点は、上述のクリップは２段階でストッパが作用することによってロックが解除されにくいようにしたものであるが、１段階目のストッパの解除方向と、第２のストッパの解除方向とは同一方向であるため、一気に解除される可能性があり、確実にロックできるものではない点であった。
【０００６】
本考案は、上記問題点を解決し、簡単な操作でクリップの挟持状態を維持することができるとともに、挟持状態の解除が不意になされることのないクリップを提供することを課題とする。
【課題を解決するための手段】
【０００７】
前記課題を解決するために本考案に係るクリップは、固定挟持片と該固定挟持片に回動可能に設けられた可動挟持片とからなり、上記固定挟持片の先端と可動挟持片の先端とが付勢部材で圧接されるクリップにおいて、上記固定挟持片には圧接時に上記可動挟持片の可動を阻止する阻止部材を設け、該阻止部材を上記固定挟持片にスライド可能に配置するとともに、スライド時には上記可動挟持片に係脱することを特徴とする。
【０００８】
また、前記阻止部材は、前記可動挟持片の回動方向と直交する方向にスライド可能に配置され、前記可動挟持片の回動を阻止する阻止部と、可動挟持片の回動を許容する非阻止部とを設け、該非阻止部を可動挟持片に対応させたときには可動挟持片は回動できるようにすることが好ましい。
【考案の効果】
【０００９】
請求項１の考案によれば、可動挟持片の回動をさせることができるか否かを決める阻止部材を、スライド移動させることにより機能させるので、可動挟持片の回動と同様に阻止部材を回動させて、可動挟持片の回動を阻止するのではないため使用者が意図的に阻止を解除しないかぎりクリップの挟持状態は解除されないので、確実にクリップのロック状態を維持することができる。
【００１０】
請求項２の考案によれば、阻止部材に可動挟持片の回動を阻止する阻止部と、可動挟持片の回動を許容する非阻止部とを設け、この非阻止部を可動挟持片に対応させたときには可動挟持片は回動できるようにしたので、阻止部材をスライドさせる簡単な操作で確実に可動挟持片をロックすることができる。
【考案を実施するための最良の形態】
【００１１】
固定挟持片と該固定挟持片に回動可能に設けられた可動挟持片とからなり、上記固定挟持片の先端と可動挟持片の先端とが付勢部材で圧接されるクリップにおいて、上記固定挟持片には圧接時に上記可動挟持片の可動を阻止する阻止部材を設け、該阻止部材を上記固定挟持片にスライド可能に配置するとともに、スライド時には上記可動挟持片に係脱するようにした。
【実施例１】
【００１２】
図１は、本考案に係るクリップの一例を示し、このクリップＡは基板１上に固定された固定挟持片２と、この固定挟持片２に回動可能に支持された可動挟持片３と、この可動挟持片３の可動を阻止する阻止部材４とから構成されている。
【００１３】
図２に示すように、基板１はベルトを挿通する開口部５と、固定挟持片２の先端のフック１５を係合させる係合孔６と、上記阻止部材４のスライドをガイドするガイド部７が形成され、固定挟持片２を固定する際の位置決め用の凸部８と、固定挟持片２を固定するためのネジ９を差し込む孔１０が形成されている。
【００１４】
固定挟持片２は、先端の裏面には上記基板１に形成された係合孔６に係合させるフック１５が形成され、上面の可動挟持片３と当接する部分には滑り止め１６が形成されている。さらに、両側面には可動挟持片３を回動可能に支持する支軸１７を軸支する支持板１８、１９が立設形成され、この支持板１８、１９の後方はそれぞれ外方に向かって直角に曲折して突設し、阻止部材４のスライド移動をガイドするガイド板１８ａ、１９ａを構成している。一方のガイド板１８ａには、阻止部材４の位置決め用の係合凹溝２０が形成されている。また、左右のガイド板１８ａ、１９ａに挟まれた部分の固定挟持片２は山形に曲折し、この山形部２２は上記上記ガイド板１８ａ、１９ａとともに、阻止部材４のスライドをガイドするガイド部を構成している。
【００１５】
なお、ガイド部２２に形成された溝２３は、付勢部材であるコイルバネ２４の位置決め用の溝であり、後部に形成されている膨出部２５は、この固定挟持片２を基板１に固定する際、基板１の裏側から捻じ込んだネジ９に螺合する雌ネジ部２５ａが下面に形成されているものであり、底面に形成された嵌合凹部２６は、固定挟持片１を基板１に固定する際に位置決め用の凸部８に嵌め合わせて位置決めを行うためのものである。
【００１６】
可動挟持片３は、上記固定挟持片２の支持板１８に支軸１７で上下に回動可能に軸支されるシーソー部材で構成され、先端が固定挟持片２に圧接するようにコイルバネ２４で付勢されている。この可動挟持片３の中央側部は下方に膨出し、この膨出部２７には上記支軸１７を挿通する軸孔２８が形成されるとともに、阻止部材４に係合する係合部２９を形成している。なお、固定挟持片２の滑り止め１６に当接する部分には断面波形の滑り止め３０が形成されている。
【００１７】
阻止部材４は平面視L字状に曲折した板部材で構成され、短辺部は阻止部材４をスライド操作するための操作部４ａを構成し、前面にはガイド板１８ａに形成された位置決め用の係合凹溝２０に係合する係合凸縁３４が縦方向に形成されている。そして、長辺部は上記可動挟持片３の係合部２９に係脱し、可動挟持片３の回動の可否を制御する制御部４ｂを構成している。この制御部４ｂは可動挟持片３の回動を阻止する阻止部３５と、可動挟持片３の回動を許容する非阻止部３６が形成され、阻止部３５が上記可動挟持片３の膨出部に対応する位置になるように阻止部材４をスライドさせたときには、可動挟持片３の膨出部２７が阻止部３５に当接して回動を阻止することができ、非阻止部３６が上記可動挟持片３の膨出部２７に対応する位置になるように阻止部材４をスライドさせたときには、可動挟持片３は膨出部２７が阻止部３５に当接しないので可動挟持片３の回動を可能にすることができるようになっているものである。
【００１８】
なお、阻止部材４の長辺部４ｂに形成された長孔３７には、固定挟持片２の山形部２２が対応し、阻止部材４が上下方向にぶれないようにガイドされている。なお、上記長孔３７の中央部分は、阻止部材４を固定挟持片２に組み付ける際、固定挟持片２の後端から差し込んだときに、凸部２５に当たらず挿入できるようにするための逃げ３８が形成されている。
【００１９】
上記部品から構成されるクリップＡは、組み立てるに当たっては、図３に示すように、先ず阻止部材４の長穴３７を固定挟持片２の後端から１８ａ、１９ａに当接する位置まで差し込み、固定挟持２の先端のフック１５を基板１の係合孔６に係合させ、ガイド板１８とガイド板１９との間にセットするとともに嵌合凹部２６を凸部８に嵌め合わせて位置決めをした後、基板１の裏側から雌ネジ部２５ａにネジ９を捻じ込んで、基板１上に固定挟持片２を固定すればよい。
【００２０】
上記構成のクリップＡで被挟持部材を挟む際は、先ず、図４（ａ）に示すように、操作部４ａを外方に引いて阻止部材４を外側にスライド移動させ、図４（ｂ）に示すように、可動挟持片３の阻止部材４の係合部２９が非阻止部３６に対応し、阻止部３５には対応しないようにしておく。
【００２１】
次に、コイルバネ２４に抗して可動挟持片３を回動させ、可動挟持片３と固定挟持片２との先端間を押し開き、図示しない非挟持部材を先端間に差し込んだ後、可動挟持片３の回動を解除すればよい。この状態では固定挟持片２の先端の滑り止め１６と可動挟持片３の先端の滑り止め３０とがコイルバネ２４に付勢されて噛み合う状態になるので、簡単には被挟持部材が外れることはない。
【００２２】
次に、図５（ａ）に示すように、阻止部材４の操作部４ａを固定挟持片２の内部に向かって押し操作すると、図５（ｂ）に示すように、阻止部材４の阻止部３５が可動挟持片３の係合部２９に対応する位置になるので、可動挟持片３を押し下げて、挟持を解除しようとしても、可動挟持片３は係合部２９が、図６（ａ）に示すように、阻止部材４の阻止部３５に邪魔されて回動することはできないので固定挟持片２と可動挟持片３の先端間が開くことはなく、被挟持部材を引き抜こうとしても引き抜くことはできない。
【００２３】
被挟持部材をクリップから外す際は、図４（ａ）に示すように、操作部４ａを外方に引いて阻止部材４を外側にスライド移動させると、図４（ｂ）に示すように、阻止部材４の非阻止部３６が可動挟持片３の係合部２９に対応するようになるので、図６（ｂ）に示すように、可動挟持片３の回動操作が可能になり、被挟持部材をクリップから外すことができる。
【００２４】
上述のように、阻止部材４の阻止部３５が可動挟持片３の係合部２９に対応する位置になるように阻止部材４をスライド移動させることにより、無意識には可動挟持片の回動阻止を解除できないので、確実に被挟持部材の挟持を行うことができる。
【００２５】
上記阻止部材４は、使用者が意識的にスライド移動させない限りは、可動挟持片３が物に触れたり、外力が加わったりするようなことがあってもスライド移動することはないので確実にクリップの挟持状態を維持することができる。
【産業上の利用可能性】
【００２６】
次に図７は、本考案のクリップＡを、ハンドマスコットに適用した場合を示し、このハンドマスコットは幼児が手で触れて遊ぶマスコット玩具Ｂと上述のクリップＡとをベルト４０で繋ぎ、母親が肩から掛けたバッグのショルダーベルト等の被挟持部材をクリップＡで挟持し、幼児がマスコット玩具Ｂを引っ張ってもクリップＡがショルダーベルト等から外れないようにしたものである。
【００２７】
クリップＡは、図８（ａ）に示すように、基板１が木の葉を模して形成され、裏面に固定挟持片２と、この固定挟持片２に回動可能に支持された可動挟持片３と、この可動挟持片３の可動を阻止する阻止部材４とが配置されているものである（図８（ｂ）参照）。
【００２８】
なお、基板１は形状が上述のクリップＡと同様に、一定の形状（例えば、円形）であってもよく、図８（ｃ）に示すように、基板１の表面にシール４１を貼着したり、ぬいぐるみ玩具４２を取り付けたりしてもよい。
【００２９】
ベルト４０は、図９に示すように、布製で両端にはフックの面ファスナー４３が縫い付けられ、内側には面ファスナー４３に絡み合うループの面ファスナー４４が縫い付けられ、面ファスナー４３と面ファスナー４４とを貼り合わせる位置を変えることにより、クリップＡとマスコット玩具Ｂとの距離を変えることができるとともに、ベルト４０が汚れたときには面ファスナー４４から面ファスナー４３を引き剥がして、ベルト４０とクリップＡとマスコット玩具Ｂとを分離して、ベルト４０のみ選択することができ、清潔な状態を維持することができる。
【００３０】
マスコット玩具Ｂは芋虫を模して複数の球体が連結され、一部の球体は中空で内部に鈴などの音を発生させるものが収容されているものである。このマスコット玩具Ｂは所謂幼児が手にして遊ぶガラガラのようなものであってもよく、幼児が遊ぶことができるものであれば、玩具に限定されるものではない。
【００３１】
上述のハンドマスコットの場合、クリップＡを母親が肩から掛けたバッグのショルダーベルト４５に取り付け、上述の阻止部材４を押し操作して、可動挟持片３が回動しないようにロックし、マスコット玩具Ｂを幼児に持たせればよい。このことにより、幼児が強く引いてもクリップＡはショルダーベルト４５から外れることがなく、また、クリップＡに外力が加わっても、阻止部材４をスライド移動させるような状態が発生することは考えられず、使用者が意図的に阻止部材４によるロックを解除しない限り、ハンドマスコットはショルダーベルトから外れることはない。
【００３２】
したがって、使用者はハンドマスコットが紛失しないか否かを気にする必要がなく安心して使用することができる。
【図面の簡単な説明】
【００３３】
【図１】本考案に係るクリップの斜視図
【図２】上記クリップの分解斜視図
【図３】上記クリップの組み立てを説明する斜視図
【図４】（ａ）（ｂ）は阻止部材と可動挟持片との関係を説明する、クリップの平面図及び基板からガイド部を除いた状態の背面図
【図５】（ａ）（ｂ）は阻止部材と可動挟持片との関係を説明する、クリップの平面図及び基板からガイド部を除いた状態の背面図
【図６】（ａ）（ｂ）は阻止部材と可動挟持片との関係を説明する要部を切断した状態の側面図
【図７】上記クリップをハンドマスコットに適用した場合の説明図
【図８】（ａ）〜（ｃ）は上記ハンドマスコットの構成を説明する斜視図
【図９】ベルトの構成を説明する斜視図
【符号の説明】
【００３４】
１    基板
２    固定挟持片
３    可動挟持片
４    阻止部材
２４    付勢部材（コイルバネ）
３５    阻止部
３６    非阻止部
Ａ    クリップ
【図１】
0003105650.tif 000003
【図２】
0003105650.tif 000004
【図３】
0003105650.tif 000005
【図４】
0003105650.tif 000006
【図５】
0003105650.tif 000007
【図６】
0003105650.tif 000008
【図７】
0003105650.tif 000009
【図８】
0003105650.tif 000010
【図９】
0003105650.tif 000011